【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
１多層クロモニック構造体を製造する方法であって：
（ａ）
（ｉ）最初の連続的水溶性ポリマー相、及び
（ｉｉ）クロモニック材料を含む最初の非連続的クロモニック相、
を含む最初の水溶性混合物を調製して、クロモニックナノ粒子を形成し；
（ｂ）得られた当該クロモニックナノ粒子を多価カチオン塩で非共有結合的に架橋し；
（ｃ）クロモニック材料を含む１組成物中に、得られた当該架橋クロモニックナノ粒子を分散させて、クロモニックナノ粒子分散体を形成し；又、
（ｄ）
（ｉ）当該クロモニックナノ粒子分散体を含む二番目の非連続的クロモニック相、及び
（ｉｉ）二番目の連続的水溶性ポリマー相、
を含む二番目の水性混合物を調製して、当該クロモニックナノ粒子を封入し；
そこでは、当該第１の非連続的クロモニック相、及び当該第２の非連続的クロモニック相の、少なくとも一つがゲスト化合物を更に含む、方法。
【請求項２】
（ｉ）三番目の連続的水溶性ポリマー相、及び
（ｉｉ）クロモニック材料及び三番目のゲスト化合物を含む、三番目の非連続的クロモニック相、
を含む三番目の水性混合物を調製して、当該第３のゲスト化合物を含むクロモニックナノ粒子を形成し；
当該第３のゲスト化合物を含む得られた当該ナノ粒子を、多価カチオン塩で非共有結合的に架橋し；並びに
当該第３のゲスト化合物を含む、得られた架橋クロモニックナノ粒子を、工程（ｃ）の１クロモニック材料を含む当該組成物中に分散させることを更に含む、請求項１の方法。
【請求項３】
当該第１の水性混合物の当該クロモニック材料、及びクロモニック材料を含む当該組成物の当該クロモニック材料が、以下の１以上の一般式から独立的に選択される、請求項１の方法：
【化１】
2009520102.tif 000001
式中、
各Ｒ２が、電子供与性基、電子求引性基、及び電子中性基から成る群から独立に選択され、又、
Ｒ３が、置換及び非置換芳香族複素環、置換及び非置換複素環、ここで、前記した環がＲ３の当該環内の窒素原子を介してトリアジン基に連結され、並びに両性イオン類、プロトン互変異性体類及びそれらの塩類、から成る群から選択される。
【請求項４】
クロモニック材料のシェル層中に封入されたクロモニックナノ粒子を含む、多層クロモニック構造体であって：当該クロモニックナノ粒子及びクロモニック材料のシェル層の少なくとも一つがゲスト化合物を含む、構造体。
【請求項５】
最初のゲスト化合物を含む最初のクロモニックナノ粒子、及び二番目のゲスト化合物を含む二番目のクロモニックナノ粒子を含む、多層クロモニック構造体であって：当該第１のクロモニックナノ粒子及び当該第２のクロモニックナノ粒子がクロモニック材料のシェル層中にともに封入されている、構造体。
【手続補正２】
【補正対象書類名】明細書
【補正対象項目名】０１１５
【補正方法】変更
【補正の内容】
【０１１５】
本発明の様々な変更や改変は、本発明の範囲及び趣旨を逸脱せずに、当業者には明らかとなるであろう。本発明は、本明細書で示される例示的な実施形態及び実施例によって不当に限定されるべく意図されていないこと、並びに、かような実施例及び実施形態は、以下に示されるように、本明細書に示す請求項によってのみ限定されるべく意図されている、本発明の範囲に沿った例示として提示されること、を理解すべきである。
以下に、本願発明に関連する発明の実施形態を列挙する。
実施形態１
１多層クロモニック構造体を製造する方法であって：
（ａ）
（ｉ）最初の連続的水溶性ポリマー相、及び
（ｉｉ）クロモニック材料を含む最初の非連続的クロモニック相、
を含む最初の水溶性混合物を調製して、クロモニックナノ粒子を形成し；
（ｂ）得られた当該クロモニックナノ粒子を多価カチオン塩で非共有結合的に架橋し；
（ｃ）クロモニック材料を含む１組成物中に、得られた当該架橋クロモニックナノ粒子を分散させて、クロモニックナノ粒子分散体を形成し；又、
（ｄ）
（ｉ）当該クロモニックナノ粒子分散体を含む二番目の非連続的クロモニック相、及び
（ｉｉ）二番目の連続的水溶性ポリマー相、
を含む二番目の水性混合物を調製して、当該クロモニックナノ粒子を封入し；
そこでは、当該第１の非連続的クロモニック相、及び当該第２の非連続的クロモニック相の、少なくとも一つがゲスト化合物を更に含む、方法。
実施形態２
当該ゲスト化合物が生物活性化合物である実施形態１の方法。
実施形態３
当該生物活性化合物が、薬剤類、除草剤類、殺虫剤類、フェロモン類、及び抗菌剤類から成る群から選択される実施形態２の方法。
実施形態４
当該生物活性化合物が薬剤である、実施形態３の方法。
実施形態５
当該第１の非連続的クロモニック相及び当該第２の非連続的クロモニック相が、独立的に選択されたゲスト化合物をそれぞれ含む、実施形態１の方法。
実施形態６
当該第１の非連続的クロモニック相のゲスト化合物が、当該第２の非連続的クロモニック相のゲスト化合物と反応的である、実施形態５の方法。
実施形態７
当該ゲスト化合物類の少なくとも一つが生物活性化合物である、実施形態６の方法。
実施形態８
当該ゲスト化合物類の少なくとも一つが、薬剤類、除草剤類、殺虫剤類、フェロモン類、及び抗菌剤類から成る群から選択される、実施形態７の方法。
実施形態９
当該ゲスト化合物類の少なくとも一つが薬剤である、実施形態８の方法。
実施形態１０
当該第１の非連続的クロモニック相がゲスト化合物を含む、実施形態１の方法。
実施形態１１
当該第２の非連続的クロモニック相がゲスト化合物を含む、実施形態１の方法。
実施形態１２
得られた封入ナノ粒子を非共有結合的に架橋することを更に含む、実施形態１の方法。
実施形態１３
得られた当該架橋封入ナノ粒子を、１クロモニック材料を含む第２の組成物中に分散させて、第２のクロモニックナノ粒子分散体を形成し、；又、
（ｉ）第３の非連続的水溶性ポリマー相、及び
（ｉｉ）当該第２のクロモニックナノ粒子分散を含む、第３の連続的クロモニック相、
を含む第３の水性混合物を調製する、ことを更に含む実施形態１２の方法。
実施形態１４
当該第３の連続的クロモニック相がゲスト化合物を更に含む、実施形態１３の方法。
実施形態１５
（ｉ）三番目の連続的水溶性ポリマー相、及び
（ｉｉ）クロモニック材料及び三番目のゲスト化合物を含む、三番目の非連続的クロモニック相、
を含む三番目の水性混合物を調製して、当該第３のゲスト化合物を含むクロモニックナノ粒子を形成し；
当該第３のゲスト化合物を含む得られた当該ナノ粒子を、多価カチオン塩で非共有結合的に架橋し；並びに
当該第３のゲスト化合物を含む、得られた架橋クロモニックナノ粒子を、工程（ｃ）の１クロモニック材料を含む当該組成物中に分散させることを更に含む、実施形態１の方法。
実施形態１６
当該多価カチオン塩の当該多価カチオンが、Ｂａ２＋、Ｃａ２＋、Ｆｅ２＋、Ｆｅ３＋、Ｚｎ２＋、Ｍｇ２＋、及びＡｌ３＋から成る群から選択される、実施形態１の方法。
実施形態１７
当該第１の水性混合物の当該水溶性ポリマー、及び当該第２の水性混合物の当該水溶性ポリマーが、ビニルアルコールポリマー類、アスパラギン酸ポリマー類、アクリル酸ポリマー類、メタクリル酸ポリマー類、アクリルアミドポリマー類、ビニルピロリドンポリマー類、ポリ（アルキレンオキシド）類、ビニルメチルエーテルポリマー類、スルホン化ポリエステル類、複合炭水化物類、グアーガム、アラビアゴム、トラガカントゴム、カラマツゴム、カラヤゴム、イナゴマメゴム、寒天、アルギネート類、カラギーナン、ペクチン類、セルロース及びセルロース誘導体類、デンプン類及び変性デンプン類、並びにこれらの組み合わせから成る群から、独立的に選択される実施形態１の方法。
実施形態１８
当該第１の水性混合物の当該クロモニック材料、及びクロモニック材料を含む当該組成物の当該クロモニック材料が、以下の１以上の一般式から独立的に選択される、実施形態１の方法：
【化２】
2009520102.tif 000002
式中、
各Ｒ２が、電子供与性基、電子求引性基、及び電子中性基から成る群から独立に選択され、又、
Ｒ３が、置換及び非置換芳香族複素環、置換及び非置換複素環、ここで、前記した環がＲ３の当該環内の窒素原子を介してトリアジン基に連結され、並びに両性イオン類、プロトン互変異性体類及びそれらの塩類、から成る群から選択される。
実施形態１９
当該第１の水性混合物の当該クロモニック材料、及びクロモニック材料を含む当該組成物の当該クロモニック材料が、以下の１以上の一般式から独立的に選択される、実施形態１８の方法：
【化３】
2009520102.tif 000003
式中、Ｘ−は対イオンである。
実施形態２０
当該第１の水性組成物が貴金属塩を更に含む、実施形態１の方法。
実施形態２１
当該貴金属塩を還元させて当該架橋クロモニックナノ粒子中に含有された元素貴金属ナノ粒子の懸濁液を生成することを更に含む、実施形態２０の方法。
実施形態２２
クロモニック材料のシェル層中に封入されたクロモニックナノ粒子を含む、多層クロモニック構造体であって：当該クロモニックナノ粒子及びクロモニック材料のシェル層の少なくとも一つがゲスト化合物を含む、構造体。
実施形態２３
当該クロモニックナノ粒子及び当該クロモニック材料のシェル層が、独立的に選択されたゲスト化合物をそれぞれ含有する、実施形態２２の多層クロモニック構造体。
実施形態２４
当該クロモニックナノ粒子がゲスト化合物を含有する、実施形態２２の多層クロモニック構造体。
実施形態２５
クロモニック材料の当該シェル層がゲスト化合物を含有する、実施形態２２の多層クロモニック構造体。
実施形態２６
クロモニック材料の二番目のシェル層を更に含む、実施形態２２の多層クロモニック構造体。
実施形態２７
最初のゲスト化合物を含む最初のクロモニックナノ粒子、及び二番目のゲスト化合物を含む二番目のクロモニックナノ粒子を含む、多層クロモニック構造体であって：当該第１のクロモニックナノ粒子及び当該第２のクロモニックナノ粒子がクロモニック材料のシェル層中にともに封入されている、構造体。